(57)【要約】【課題】本発明は、環境異常を示す警報以外の報知を行うとき、装置の周囲に人がいる場合にのみ報知できる警報器を提案することを目的とする。【解決手段】操作部１８が操作された試験動作が要求されたとき、人体検出部１５を動作させることによって、警報器１本体の周辺における人体の存否が確認される。そして、人体検出部１５によって人体が検出されたときに、発音体１２による警報の発報又は表示部による警報の表示がなされることで、警報報知に関する試験動作が行われる。警報器１本体の異常を検出したときにおいても、人体検出部１５によって、警報器１本体の周辺における人体の存否を確認し、人体が検出されたときに異常を通知する。【選択図】図１
2010033233.tif 000002
【特許請求の範囲】
【請求項１】
環境の変化を示す環境値を測定する環境値検出部と、警報の発報を含む外部への報知動作を行う報知部と、前記環境値検出部で測定された環境値が入力されるとともに前記報知部による警報の発報動作を制御する第１制御部と、を備える警報器において、
該警報器の異常を検出する異常検出部と、
人体を検出する人体検出部と、
前記人体検出部の検出結果及び前記異常検出部の検出結果のそれぞれが入力されるとともに、前記報知部を制御して、前記異常検出部で検出された異常を外部へ報知させる第２制御部と、
を備え、
前記第２制御部は、前記異常検出部の検出結果より異常報知の必要がある旨の判定を行ったとき、前記異常検出部で検出された異常を記憶するとともに、前記人体検出部による人体の検出を開始し、当該人体検出部の動作開始後に人体が検出されたとき、記憶した前記異常を前記報知部に対して報知させることを特徴とする警報器。
【請求項２】
請求項１において、
前記第２制御部が昼夜を判定するとともに、
前記第２制御部は、前記判定の結果を記憶している場合に、夜である旨の判定を行ったときに前記人体検出部による検出動作を開始させることを特徴とする警報器。
【請求項３】
請求項１又は請求項２において、
本体の動作確認のための試験動作の指令を受け付けるテスト用操作部を更に備え、
該テスト用操作部が操作されて前記試験動作の指令を受け付けたとき、前記人体検出部を作動させ、該人体検出部の作動後に、該人体検出部によって人体が検出されたときに、前記第２制御部が前記報知部による報知動作を強制的に実行させることを特徴とする警報器。
【発明の詳細な説明】
【技術分野】
【０００１】
本発明は、環境の変化を示す環境値が許容範囲を超えたときに警報を報知する警報器に関するもので、警報以外にも報知動作を行う機能を備えた警報器に関する。
【背景技術】
【０００２】
従来より、屋内環境の異常を検出したときに警報を発報する警報器が、ビル、地下街、又は、一般家屋などにおいて広く普及されている。このような警報器として、環境の変化を表す環境値となる煙、熱、ガスなどの検出により、火災感知又はガス感知を行う警報器が、一般に普及されている。又、人体の発する遠赤外線を感知する赤外線感知器などの人感センサを備えることで、不審者を検知する人体検知用の警報器も提供されている。
【０００３】
これらの各種警報器は、環境値を検出するための各種検出器と、この検出器からの環境値が所定値を超えたときに警報を発報する圧電ブザーやスピーカなどによる発音体とを備える。そして、検出器で検出した環境値が屋内環境の異常を示す値に達したとき、発音体を動作させて警報を発報することによって、家人に対して、屋内環境に異常が生じたことを報知する。又、このような警報器の１つとして、本出願人は、特許文献１に示すような住宅用火災警報器を提案した。この特許文献１による住宅用火災警報器は、人体検出部や照度感知部を設けることで、家人の在宅や就寝などの状態を検出し、音声メッセージの音量をその状態に適応した大きさに設定している。
【特許文献１】特開２００６−２３５７８０号公報
【発明の開示】
【発明が解決しようとする課題】
【０００４】
特許文献１における住宅用火災警報器は、人の存在の検知の有無や装置周辺の照度に基づいて警報音の出力態様を変化させるが、この警報音の出力態様の変化は、火災発生を外部の人間又は家人に確実に通知することを目的とする。そのため、この特許文献１における住宅用火災警報器は、家人が不在である場合は外部の人間に通知するために、警報音の音量を大きくし、又、家人が就寝している場合は、警報音を段階的に大きくすることを特徴とした。
【０００５】
しかしながら、警報器には、環境異常を報知するために警報を発報する以外にも、試験的に動作させて警報器自身の動作確認を行う場合や、警報器の電池切れや故障などを報知する場合においても、音声や発光による報知動作を行う。このような警報以外の報知動作については、外部の人間や就寝中の家人に報知する必要がないため、特許文献１による出力態様の変化を適用した場合、無駄に電力が消費されてしまう。また、音声出力により報知する場合などは、その報知動作による音自体が、外部の人間や就寝中の家人にとって迷惑なものとなる。
【０００６】
このような問題に鑑みて、本発明は、環境異常を示す警報以外の報知を行うとき、装置の周囲に人がいる場合にのみ報知できる警報器を提案することを目的とする。
【課題を解決するための手段】
【０００７】
上記目的を達成するために、本発明の警報器は、環境の変化を示す環境値を測定する環境値検出部と、警報の発報を含む外部への報知動作を行う報知部と、前記環境値検出部で測定された環境値が入力されるとともに前記報知部による警報の発報動作を制御する第１制御部と、を備える警報器において、該警報器の異常を検出する異常検出部と、人体を検出する人体検出部と、前記人体検出部の検出結果及び前記異常検出部の検出結果のそれぞれが入力されるとともに、前記報知部を制御して、前記異常検出部で検出された異常を外部へ報知させる第２制御部と、を備え、前記第２制御部は、前記異常検出部の検出結果より異常報知の必要がある旨の判定を行ったとき、前記異常検出部で検出された異常を記憶するとともに、前記人体検出部による人体の検出を開始し、当該人体検出部の動作開始後に人体が検出されたとき、記憶した前記異常を前記報知部に対して報知させることを特徴とする。
【０００８】
このような警報器において、前記第２制御部が昼夜を判定するとともに、前記第２制御部は、前記判定の結果を記憶している場合に、夜である旨の判定を行ったときに前記人体検出部による検出動作を開始させるものとしてもよい。
【０００９】
このとき、周囲の照度を測定して測定結果を前記第２制御部に送出する照度検出部を更に備えるものとし、照度検出部により、昼夜の判定がなされるものとしてもよい。更に、時間を計測して前記第２制御部に計測時間を通知するタイマを更に備え、深夜である判定を行うとともに、深夜と判定したときには、前記報知部による前記異常の報知動作を停止されるものとしてもよい。
【００１０】
上述の各警報器において、本体の動作確認のための試験動作の指令を受け付けるテスト用操作部を更に備え、該テスト用操作部が操作されて前記試験動作の指令を受け付けたとき、前記人体検出部を作動させ、該人体検出部の作動後に、該人体検出部によって人体が検出されたときに、前記第２制御部が前記報知部による報知動作を強制的に実行させるものとしてもよい。
【発明の効果】
【００１１】
本発明によると、警報器の異常を検出したとき、その検出結果を人体検出部で人体を検出するまで記憶することができ、人体検出部で人体を検出したときにはじめて異常を報知することができる。そのため、警報器の近くに人がいないときには、警報器の異常を報知することがなく、無駄な報知動作を防止できる。よって、無駄な報知動作による消費電力を抑制することができる。又、警報器の異常を検出した後に人体検出部の動作を開始するため、警報器に異常がない場合は人体検出部を停止させることができる。これにより、人体検出部で消費される電力を低減できる。
【発明を実施するための最良の形態】
【００１２】
＜第１の実施形態＞
本発明における警報器の第１の実施形態について、図面を参照して説明する。尚、図１は、本実施形態の警報器の構成を示す概略外観図であり、図２は、図１に示す警報器の内部構成を示すブロック図である。又、図３及び図４は、図１に示す警報器の動作を示すフローチャートである。
【００１３】
警報器１は、図１及び図２に示すように、煙やガス或いは熱の検出などといった環境値を測定する環境値検出部１１と、警報を発報する発音体１２と、警報内容を表示する表示部１３と、警報器１本体の異常を検出する異常検出部１４と、赤外線などにより警報器１周辺の人体の存否を確認する人体検出部１５と、警報器１周辺の照度を測定する照度検出部１６と、時間の測定を行うタイマ部１７と、警報器１の動作試験を行うなどの外部からの操作を受け付ける操作部１８と、環境値検出部１１により測定された環境値に基づいて警報の報知の要否を判定する第１制御部１９と、警報器１本体における異常の通知の要否を判定する第２制御部２０と、異常検出部１４で検出された警報器１本体の異常内容を記憶するメモリ部２１とを備える。
【００１４】
このような構成の警報器１は、図１に示すように、警報器１を構成する筐体の先端側に環境値検出部１１が形成されるとともに、この環境値検出部１１を中心とした外周側に、発音体１２、表示部１３、照度検出部１６、及び操作部１８がそれぞれ配置される。又、人体検出部１５が環境値検出部１１の更に先端側に配置され、警報器１を構成する筐体において、環境値検出部１１及び人体検出部１５が設置された側と反対側が設置面となり、床又は壁などに設置される。尚、図１による外観図に示す警報器１の構成は一例であり、人体検出部１５が、照度検出部１６などと同様に、環境値検出部１１を中心とした外周側に配置されるものとしてもよいし、発音体１２が、環境値検出部１１の更に先端側に配置されるものとしてもよい。
【００１５】
この警報器１が火災感知用の警報器であるとき、環境値検出部１１は、発光素子及び受光素子と光学部品によって構成される光学式の煙感知式のセンサや、サーミスタなどによる熱感知式のセンサとされる。又、警報器１がガス感知用の警報器であるとき、環境値検出部１１によってガス量が測定される。そして、異常検出部１４では、この環境値検出部１１における検出機能の異常、電源の電力低下などによる異常、発音体１２及び表示部１３によって構成される報知部における異常などを検出する。
【００１６】
そして、報知部の一部となる発音体１２は、ブザー音により発報を行う圧電ブザーで構成してもよいし、警報内容や異常内容を音声として再生出力するスピーカで構成してもよい。又、同じく報知部の一部となる表示部１３は、点滅や点灯を行うＬＥＤ（Light Emitted Diode）によって構成してもよいし、警報内容や異常内容を表示できる液晶ディスプレイによって構成してもよい。更に、発音体１２及び表示部１３だけでなく、警報器１本体に振動を与えるバイブレーションモータなどを報知部の一部として備え、警報器１本体の振動により報知動作を行うものとしてもよい。
【００１７】
又、人体検出部１５は、警報器１本体周辺に存在する人体から放出される赤外線を受信する赤外線センサなどにより構成でき、照度検出部１６は、警報器１本体周辺の照明などからの光を受光する受光素子などにより構成できる。更に、操作部１８は、図１に示すように、警報器１への操作を受け付けるために引き紐によって構成されるものとしてもよいし、警報器１を構成する筐体から突出させた釦によって構成されるものとしてもよい。
【００１８】
１．警報の報知（第１制御部による制御）
このように構成される警報器１は、環境値検出部１１によって測定された環境値が第１制御部１９に与えられると、第１制御部１９において、測定された環境値が警報域に到達したか否かが確認される。例えば、警報器１が火災感知用の警報器であり、環境値検出部１１により煙量又は熱量が環境値として測定される場合、環境値検出部１１で測定された環境値に基づく電気信号が第１制御部１９に与えられる。そして、第１制御部１９は、測定された電気信号により煙量又は熱量を認識し、測定された煙量又は熱量が警報域となる閾値より多い又は高くなったことを確認したとき、警報の報知動作を開始する旨の判定を行う。
【００１９】
第１制御部１９で警報の報知動作を開始する旨の判定がなされると、この判定結果が、発音体１２及び表示部１３などによって構成される報知部に与えられることで、警報の報知を開始する指令が与えられる。警報の報知動作の開始指令が与えられた報知部では、発音体１２が警報の発報を行うとともに、表示部１３が警報内容を示す表示を行う。又、バイブレーションモータなどを報知部の一部として備える場合、その警報内容に応じた振動パターンによりバイブレーションモータなどが動作して、警報内容に応じた振動パターンにより警報器１本体を振動させる。
【００２０】
２．試験動作（第２制御部による制御）
上述の第１制御部１９による環境値検出部１１及び報知部それぞれの制御動作は、警報器１の電源投入後に常に行われるため、警報器１は、電源の投入された後、環境値の変化に基づく警報報知がいつでも行える体勢とされる。そして、警報器１は、操作部１８への操作を受け付けたときに、警報報知動作が確実になされることを試験的に確認するための試験動作を行う。以下では、この警報報知動作を試験的に確認するための試験動作における、警報器１内の各構成部分の動作を、図３のフローチャートを参照して説明する。
【００２１】
警報器１に対する試験動作の要求のために操作部１８への操作があったか否かが、第２制御部２０において確認される（Ｓ１）。この操作部１８に対する操作の有無は、操作部１８が操作されるまで、第２制御部２０により定期的に確認するものであってもよいし、操作部１８により試験動作の要求を受け付けたときに、第２制御部２０で割込処理が発生するものとしてもよい。又、床又は天井に設置固定された警報器１に対して電源が投入されたときに操作部１８による試験動作を行うことを必須とする場合には、電源投入後に常に操作部１８への操作が第２制御部２０により監視されるものとしてもよい。
【００２２】
そして、操作部１８への操作がなされて、第２制御部２０が試験動作の要求を受け付けたとき（Ｓ１でＹｅｓ）、第２制御部２０により人体検出部１５へ制御信号が与えられて、人体検出部１５による人体の検出動作が開始する（Ｓ２）。即ち、試験動作の要求がないときは、人体検出部１５による動作がなされることなく、人体検出部１５による電力消費がないため、警報器１本体における消費電力を抑制できる。そして、人体検出部１５が検出動作を開始すると、人体検出部１５が所定のタイミング毎に人体の検出を行うとともに、第２制御部２０が、定期的に検出動作を行う人体検出部１５による検出結果を確認する（Ｓ３）。このＳ３における、人体検出部１５の検出結果に基づく人体の存否の判定は、第２制御部２０が人体の存在を認識するまで続けられる。
【００２３】
尚、この人体検出部１５は、第１制御部１９において警報の報知動作を開始する判定がなされたときに、第２制御部２０を通じて検出動作を行う旨の指令がなされるものとしてもよい。即ち、警報の報知を行う際、第１制御部１９が第２制御部２０を通じて人体検出部１５を動作させることにより、人体検出部１５の検出結果を第１制御部１９が認識する。そして、警報器１の周辺における家人の存否に基づいて、発音体１２における警報音の音量の切り換えや、表示部１３における警報の表示の可否を決定できる。
【００２４】
そして、人体検出部１５により警報器１周辺における人体の検出がなされたとき（Ｓ３でＹｅｓ）、第２制御部２０が、警報器１周辺に家人又は作業者が存在することを認識するため、報知部による外部への報知動作を許可する（Ｓ４）。このとき、第１制御部１９による警報の報知動作が異常なく行われるか否かを試験するため、第２制御部２０が、試験動作を行うための試験信号を第１制御部１９に対して与える。第１制御部１９は、第２制御部２０からの試験信号を受けることにより、試験動作が要求されていることを認識し、報知部を構成する発音体１２及び表示部１３による警報の報知を開始する。このとき、発音体１２及び表示部１３による動作を作業者が確認することで、警報の報知動作の正常／異常を作業者が認識できる。尚、この第１制御部１９による警報の報知動作に異常がある場合、報知動作における異常を第２制御部２０が確認して、報知部により通知するものとしてもよい。
【００２５】
このようにすることで、第１制御部１９が動作して、発音体１２による警報の発報試験や表示部１３による警報の表示試験が開始されると、第２制御部２０は、人体検出部１５による検出動作を停止させた後（Ｓ５）、タイマ部１７による時間計測を開始させる（Ｓ６）。その後、まず、第２制御部２０は、試験動作の停止を要求する操作が操作部１８で受け付けられたか否かを確認する（Ｓ７）。このとき、操作部１８に対する操作がなかった場合（Ｓ７でＮｏ）、第２制御部２０はタイマ部１７により計測された時間を確認して、メモリ部２１に記憶した試験による報知動作を行うための期間を参照して、試験期間分の時間が経過したか否かを確認する（Ｓ８）。そして、タイマ部１７により測定された時間が試験期間に到達していない場合（Ｓ８でＮｏ）、再び、操作部１８に対する操作が確認される（Ｓ７）。
【００２６】
報知部による警報の報知動作が試験的になされている間に、操作部１８が操作されて、試験動作の停止の要求を第２制御部２０が受け付けたとき（Ｓ７でＹｅｓ）、又は、その試験期間の経過をタイマ部１７による測定時間より第２制御部２０が確認したとき（Ｓ８でＹｅｓ）、第２制御部２０は、警報の報知動作を停止するための停止信号を第１制御部１９に与える（Ｓ９）。即ち、第２制御部２０は、試験動作の終了を確認することで、第１制御部１９に対して、発音体１２による警報発報動作や表示部１３による警報表示動作を終了することを通知する。よって、第１制御部１９は、第２制御部２０からの停止指令に基づいて、発音体１２及び表示部１３により構成される報知部における警報の報知動作を停止させる。
【００２７】
３．異常報知動作（第２制御部による制御）
上述の試験動作のための制御動作を行う第２制御部２０は、異常検出部１４による検出結果を受けることで、発音体１２及び表示部１３により構成される報知部の動作を制御して、警報器１本体の異常を外部へ通知できる。以下では、この異常報知動作における、警報器１内の各構成部分の動作を、図４のフローチャートを参照して説明する。
【００２８】
第２制御部２０は、異常検出部１４による検出結果を受けることにより、警報器１本体の異常の検出の有無を確認する（Ｓ１０１）。この異常検出部１４による警報器１本体の異常の検出については、異常検出部１４において定期的に行われるものとしてもよいし、第２制御部２０が異常検出部１４に対して定期的に検出動作を行うように指令するものとしてもよい。又、異常検出部１４における検出結果は、警報器１本体の異常の有無に関係なく、検出動作が行われる毎に第２制御部２０に与えられるものとしてもよいし、警報器１本体の異常が確認されたときにのみ第２制御部２０に与えられるものとしてもよい。
【００２９】
このとき、異常検出部１４において警報器１本体の異常が検出され、その異常の内容を情報として含む検出結果が第２制御部２０に与えられると（Ｓ１０１でＹｅｓ）、第２制御部２０において、異常検出部１４による検出結果により、警報器１本体に発生した異常の内容を確認し、確認した異常内容をメモリ部２１に記憶させる（Ｓ１０２）。一方、警報器１本体の異常が検出されなかった場合（Ｓ１０１でＮｏ）、第２制御部２０は、メモリ部２１に対して、異常検出部１４で既に検出された検出結果の記憶の有無を確認する（Ｓ１０３）。そして、異常検出部１４からの検出結果がメモリ部２１に記憶されていない場合は（Ｓ１０３でＮｏ）、再び、異常検出部１４による異常検出の有無が確認される（Ｓ１０１）。
【００３０】
警報器１本体における異常の検出結果がメモリ部２１へ記憶されたとき（Ｓ１０２）、又は、警報器１本体における異常の検出結果が既にメモリ部２１に記憶されているとき（Ｓ１０３でＹｅｓ）、第２制御部２０は照度検出部１６を動作させて、警報器１周辺における照度が確認される（Ｓ１０４）。即ち、第２制御部２０により駆動された照度検出部１６での受光動作により、警報器１周辺の照度を示す電気信号が取得される。そして、第２制御部２０は、この照度検出部１６での検出結果となる電気信号に基づいて、警報器１周辺の照度を認識し、その照度が閾値より高いか否かを確認する。この警報器１周辺の照度の判定により、警報器１の設置された部屋の照度が所定値以上となる場合、室内に家人がいるものと推定できる。
【００３１】
照度検出部１６で検出された照度が十分な明るさである場合（Ｓ１０４でＹｅｓ）、第２制御部２０により、人体検出部１５による人体の検出動作が開始される（Ｓ１０５）。そして、人体検出部１５が所定のタイミング毎に人体の検出を行い、人体検出部１５による検出結果が与えられる第２制御部２０は、警報器１周辺における人体の存否を判定する（Ｓ１０６）。尚、この人体検出部１５及び第２制御部２０による人体の検出動作については、図３のフローチャートのＳ２及びＳ３における動作と同様である。又、照度検出部１６で検出された照度が十分でない場合（Ｓ１０４でＮｏ）、又は、人体検出部１５により人体の検出がなかった場合（Ｓ１０６でＮｏ）、Ｓ１０１に移行して、異常検出部１４からの検出結果を確認する。
【００３２】
そして、人体検出部１０５による検出結果を第２制御部２０が受けて、警報器１周辺に家人が存在することを確認したとき（Ｓ１０６でＹｅｓ）、第２制御部２０は、人体検出部１５による検出動作を停止させた後（Ｓ１０７）、タイマ部１７により計測された現在時刻より所定時刻よりも遅い深夜であるか否かが確認される（Ｓ１０８）。このとき、所定時刻よりも前の時刻であり、深夜に至ってない場合は（Ｓ１０８でＮｏ）、第２制御部２０は、メモリ部２１に記憶された異常内容を読み出して、その異常内容に応じた異常の通知を行う（Ｓ１０９）。
【００３３】
即ち、第２制御部２０により報知部が制御されることで、発音体１２が異常内容に応じた音声の出力を行うとともに、表示部１３が異常内容に応じた表示を行う。これにより、警報器１の周辺にいる家人は、発音体１２からの音声又は表示部１３の表示内容を確認することで、警報器１本体に発生している異常を認識できる。尚、警報動作を行うと同様、報知部がバイブレーションモータなどを備えるとき、その異常内容に応じたパターンによりバイブレーションモータが動作することで、異常内容に応じた振動パターンで警報器１本体を振動させる。
【００３４】
このようにして、発音体１２及び表示部１３などで構成される報知部によって、警報器１の異常を通知する報知動作がなされている間、第２制御部２０は、作業者や家人により警報器１本体の異常が回復されたことを確認する（Ｓ１１０）。このとき、警報器１本体の異常の回復が成されていない場合は（Ｓ１１０でＮｏ）、タイマ部１７で計測される現在時刻より深夜になったか否かが再び確認される（Ｓ１０８）。一方、第２制御部２０が、警報器１本体の異常が回復したことを認識すると（Ｓ１１０でＹｅｓ）、メモリ部２１に記憶された異常内容（警報器１本体における異常の検出結果）が消去される（Ｓ１１１）。
【００３５】
尚、この警報器１本体の異常の回復については、異常の発生した構成部分からの信号を受けることで第２制御部２０が回復を検知するものとしてもよいし、操作部１８が操作されることによって第２制御部２０に回復が通知されるものとしてもよい。又、この警報器１本体の異常の回復が、警報器１への電源投入が停止された状態でなされる場合は、その電源投入が停止されたときにメモリ部２１の記憶内容が消去されるものとしてもよい。一方、異常の回復のために警報器１への電源供給を停止した後に、再び警報器１へ電源が投入されたときに、メモリ部２１内の記憶内容が存在する場合は、電源投入時に、メモリ部２１内の記憶内容に基づく異常が回復されたか否かを第２制御部２０が確認し、異常が回復されている場合はメモリ部２１内の記憶内容を消去するものとしてもよい。
【００３６】
そして、警報器１本体の異常が回復されてメモリ部２１内に記憶した異常内容を消去した後（Ｓ１１１）、又は、タイマ部１７で計測された現在時刻により深夜であることを第２制御部２０が確認すると（Ｓ１０８でＹｅｓ）、第２制御部２０は、報知部による報知動作を停止させる（Ｓ１１２）。即ち、第２制御部２０は、報知部を構成する発音体１２及び表示部１３に対して、警報器１本体の異常に関する報知動作を停止させる。
【００３７】
尚、本実施形態において、深夜であることを判定したときに、報知部による警報器１本体の異常の報知動作を停止させるものとしたが、発音体１２による報知動作のみを停止し、表示部１３による報知動作について継続して行われるものとしてもよい。又、Ｓ１０４における動作ステップにおいて、照度検出部１６で測定された照度によって、室内における人の存否を推定するものとしたが、予め人の存在する時間帯をメモリ部２１に記憶させることで、タイマ部１７で測定された現在時刻により、室内における人の存否を推定するものとしてもよい。
【００３８】
＜第２の実施形態＞
本発明における第２の実施形態の警報器について、図面を参照して説明する。尚、図５は、本実施形態の警報器の構成を示す概略外観図であり、図６は、図５に示す警報器の内部構成を示すブロック図である。尚、図６に示す警報器の構成において、図２に示す警報器の構成と同一の目的で使用する部分については、同一の符号を付してその詳細な説明を省略する。
【００３９】
本実施形態の警報器１ｂは、図５に示すように、第１の実施形態の警報器１（図１参照）と異なり、煙やガス或いは熱の検出などを行う検出部１ｘと、この検出部１ｘと通信を行うとともに外部への報知動作を行う警報部１ｙとを別体とした構成となる。そして、この検出部１ｘと警報部１ｙとは、ＬＡＮ（Local Area Network）回線、ＤＳＬ（Digital Subscriber Line）回線、ＰＬＣ（Power Line
Communications）回線又は光ファイバ回線などの有線回線で接続されることで通信を行うものとしてもよいし、無線ＬＡＮ、ブルートゥース、又は赤外線などによる無線回線で接続されることで通信を行うものとしてもよい。
【００４０】
そして、検出部１ｘと警報部１ｙとの間で有線回線による通信が行われる場合、検出部１ｘと警報部１ｙとの間に電力供給のための電源線が接続されることで、検出部１ｘ及び警報部１ｙのいずれか一方に電源ユニットを搭載すればよい。又、検出部１ｘと警報部１ｙとの間で無線回線による通信が行われる場合、検出部１ｘ及び警報部１ｙのそれぞれに電源ユニットが搭載されることとなる。尚、図５では、検出部１ｘと警報部１ｙとが無線通信を行う警報器１ｂを例示している。
【００４１】
このような検出部１ｘと警報部１ｙとが分離されて構成される警報器１ｂにおいて、検出部１ｘ及び警報部１ｙのそれぞれが、図６に示すような内部構成を備える。即ち、検出部１ｘは、環境値を測定するための環境値検出部１１と、検出部１ｘの各部の異常を検出する異常検出部１４ａと、環境値検出部１１で測定された環境値と異常検出部１４ａの検出結果とが与えられる第３制御部２３と、警報部１ｙと通信を行うために信号の送受信を行う通信インターフェースによって構成される第１通信部２４とを備える。
【００４２】
又、警報部１ｙは、検出部１ｘの第１通信部２４と通信接続するための通信インターフェースによって構成される第２通信部２５と、警報部１ｙの各部の異常を検出する異常検出部１４ｂとを備えるとともに、第１の実施形態の警報器１（図２参照）と同様の、発音体１２、表示部１３、人体検出部１５、照度検出部１６、タイマ部１７、操作部１８、第１制御部１９、第２制御部２０、及びメモリ部２１を備える。即ち、本実施形態の警報器１ｂは、警報部１ｙにおいて、環境値に基づく警報の報知動作の要否が判定されるとともに、検出部１ｘ又は警報部１ｙのそれぞれに発生した異常に関する報知動作の要否が判定される。
【００４３】
又、警報部１ｙでは、第１の実施形態の警報部１（図２参照）と同様、第１制御部１９によって、環境値に基づく警報の報知動作の要否が判定される。そして、検出部１ｘ又は警報部１ｙのそれぞれに発生した異常に関する報知動作の要否については、第１の実施形態の警報部１と同様、第２制御部２０が図４のフローチャートに従って動作することで判定される。更に、第１の実施形態の警報部１と同様、第２制御部２０が図３のフローチャートに従って動作することで、警報報知動作を試験的に確認するための試験動作が成される。
【００４４】
このように、本実施形態の警報器１ｂにおいても、その基本的な動作については、第１の実施形態の警報器１と同様となるため、主に、その特徴となる第１通信部２４及び第２通信部２５による通信動作を中心に、各動作の詳細について説明するものとする。尚、その動作が第１の実施形態の警報器１においても同様となる動作については、第１の実施形態の説明を参照するものとして省略する。
【００４５】
１．警報の報知（第１制御部による制御）
本実施形態における警報器１ｂは、検出部１ｘにおいて、環境値検出部１１が定期的に動作することにより、測定された環境値に基づく電気信号が第３制御部２３に与えられ、第１通信部２４により警報部１ｙに送信される。このとき、第３制御部２３は、第１通信部２４より送信する電気信号に対して、環境値検出部１１による測定値であることを示す情報を与える。
【００４６】
警報部１ｙでは、第１通信部２４より受信した電気信号を第２通信部２５が受信したとき、第２通信部２４が、受信した電気信号が、環境値検出部１１による測定値によるものであることを認識する。よって、第２通信部２４で受信された電気信号が、第１制御部１９に与えられ、第１制御部１９において、この電気信号により確認される環境値に基づいて、警報の報知動作の要否が判定される。そして、電気信号により確認される環境値が警報域に到達している場合は、第１制御部１９は、警報の報知動作が必要であるものと判定して、発音体１２及び表示部１３によって構成させる報知部を駆動して、警報の報知動作を開始させる。
【００４７】
尚、第３制御部２３が、環境値検出部１１からの電気信号により確認される環境値に基づいて、警報の報知の要否を判定し、その判定結果を示す信号を生成して、第１通信部２４より警報部１ｙに送信するものとしてもよい。これにより、警報の報知が必要と判定されたときにのみ、検出部１ｘから電気信号が警報部１ｙへ送信されないため、検出部１ｘと警報部１ｙとの間での通信量の低減と通信にかかる低消費電力化が図れるだけでなく、警報部１ｙにおける動作時間とその消費電力とを低減できる。
【００４８】
又、第３制御部２３が、警報の発報を行うための警報域よりも基準の低い予備的な警報域に対して、環境値検出部１１により測定した環境値を比較するものとしてもよい。このとき、この予備的な警報域に環境値が到達していることを第３制御部２３が確認したときに、環境値検出部１１からの電気信号を第１通信部２４より警報部１ｙに送信するものとしてもよい。これにより、予備的な警報域に達した環境値による電気信号のみが警報部１ｙに送信されるため、検出部１ｘと警報部１ｙとの間での通信量の低減と通信にかかる低消費電力化が図れるだけでなく、警報部１ｙにおける動作時間とその消費電力とを低減できる。
【００４９】
２．試験動作（第２制御部による制御）
又、操作部１８により試験動作が要求されたとき、上述したように、基本的には、第１の実施形態の警報機１と同様、図３のフローチャートに従って動作することによって、警報の報知動作に対する試験動作が実行される。このとき、本実施形態の警報器１ｂは、第１制御部１９及び報知部による警報の報知動作だけでなく、検出部１ｘと警報部１ｙとの間の通信動作についても、その正常／異常を確認するために、試験する。
【００５０】
即ち、図３のフローチャートにおける各動作ステップが順に実行されているとき、Ｓ４における動作ステップを実行する際、第２制御部２０は、第１の実施形態の警報器１と異なり、第２通信部２５に対して試験信号を与える。そして、この試験信号は、第２通信部２５から検出部１ｘに送信され、検出部１ｘの第１通信部２４で受信される。試験信号を第１通信部２４で受信した検出部１ｘでは、第３制御部２３が、この試験信号に対して、警報の報知動作の開始を指示するための応答信号を生成し、第１通信部２４より送信する。
【００５１】
警報部１ｙでは、検出部１ｘからの応答信号を第１通信部２４が受信すると、この応答信号を第１制御部１９に与えることで、第１制御部１９が、発音体１２及び表示部１３によって構成される報知部を駆動して、警報の報知動作を開始させる。このとき、発音体１２及び表示部１３による動作を作業者が確認することで、警報の報知動作の正常／異常を作業者が認識できる。
【００５２】
尚、この第１制御部１９による警報の報知動作に異常がある場合、報知動作における異常を第２制御部２０が確認して、報知部により通知するものとしてもよい。又、第１通信部２４と第２通信部２５との間での通信に異常があった場合、第２通信部２５により通信の異常を確認し、通信の異常が第２制御部２０に通知され、第２制御部２０が報知部を駆動して、第１通信部２４と第２通信部２５との間での通信における異常を報知部により外部に通知するものとしてもよい。
【００５３】
３．異常報知動作（第２制御部による制御）
更に、本実施形態の警報器１ｂは、検出部１ｘ及び警報部１ｙのそれぞれが、異常検出部１４ａ，１４ｂを備えるため、検出部１ｘ及び警報部１ｙのそれぞれで、自機器の異常を検出できる。即ち、検出部１ｘでは、第３制御部２３により制御される異常検出部１４ａが、環境値検出部１１における測定異常、第１通信部２４における通信異常や、電源の電力低下などといった各種の異常を検出する。又、警報部１ｙでは、発音体１２及び表示部１３によって構成される報知部における異常、人体検出部１５又は照度検出部１６などを含むセンサ部分の異常、第２通信部２５における通信異常や、電源の電力低下などといった各種の異常を検出する。
【００５４】
そして、このような警報器１ｂにおける異常報知動作は、上述したように、基本的には、第１の実施形態の警報機１と同様、図４のフローチャートに従って動作することによって実行される。このとき、本実施形態の警報器１ｂは、警報部１ｙが、異常検出部１４ｂで検出された警報部１ｙ自身の機器異常だけでなく、異常検出部１４ａで検出された検出部１ｘにおける機器異常を確認し、検出部１ｘ及び警報部１ｙのいずれで機器異常が生じても、報知部を動作させて、その異常を外部に報知する。
【００５５】
即ち、図４のフローチャートにおける各動作ステップが順に実行されているとき、Ｓ１０１における動作ステップを実行する際、第２制御部２０は、異常検出部１４ｂによる検出結果の確認だけでなく、第２通信部２５を利用して検出部１ｘの第１通信部２４と通信を行う。この検出部１ｘの第１通信部２４との通信を通じて、第２制御部２０は、第３制御部２３と信号の送受信を行い、異常検出部１４ａで異常の検出が成されたか否かを確認する。
【００５６】
このように、第２制御部２０により検出部１ｘへの通信を行うことで、検出部１ｘでの異常検出を第２制御部２０が確認すると、Ｓ１０２における動作ステップにおいて、確認した検出部１ｘで発生した異常内容をメモリ部２１に記憶する。このＳ１０１及びＳ１０２における動作ステップにおいて、異常検出部１４ｂにより警報部１ｙの異常の検出があった場合は、第１の実施形態と同様、第２制御部２０が異常検出部１４ｂより直接確認し、この警報部１ｙで発生した異常内容をメモリ部２１に記憶する。
【００５７】
尚、検出部１ｘにおいて、異常検出部１４ａで異常が検出されたときに、第３制御部２３が検出された異常内容を示す電気信号を生成して、第１通信部２４より警報部１ｙに積極的に送信するものとしてもよい。このとき、警報部１ｙは、検出部１ｘより送信された異常内容を示す電気信号を第２通信部２５で受信したとき、この異常内容を示す電気信号を第２通信部２５に記憶し、Ｓ１０１による動作ステップにおいて、第２制御部２０が第２通信部２５に記憶された異常内容を確認するものとしてもよい。又、警報部１ｙは、検出部１ｘより送信された異常内容を示す電気信号を第２通信部２５で受信したとき、第２通信部２５が第２制御部２０に割込処理を行い、検出部１ｘで発生した異常内容を第２制御部２０に通知するものとしてもよい。
【産業上の利用可能性】
【００５８】
本発明は、煙感知又は熱感知により火災警報を報知する火災用の警報器、ガス警報を報知するガス感知用の警報器や、人体の検知を行う人体検知用の警報器にも適用することができる。
【図面の簡単な説明】
【００５９】
【図１】は、本発明の第１の実施形態における警報器の構成を示す概略斜視図である。
【図２】は、図１の警報器の内部構成を示すブロック図である。
【図３】は、図１の警報器における試験動作時の動作を示すフローチャートである。
【図４】は、図１の警報器による異常報知の動作を示すフローチャートである。
【図５】は、本発明の第２の実施形態における警報器の構成を示す概略斜視図である。
【図６】は、図５の警報器の内部構成を示すブロック図である。
【符号の説明】
【００６０】
１，１ｂ          警報器
１ｘ              検出部
１ｙ              警報部
１１              環境値検出部
１２              発音体
１３              表示部
１４              異常検出部
１４ａ，１４ｂ    異常検出部
１５              人体検出部
１６              照度検出部
１７              タイマ部
１８              操作部
１９              第１制御部
２０              第２制御部
２１              メモリ部
２３              第３制御部
２４              第１通信部
２５              第２通信部
【図１】
2010033233.tif 000003
【図２】
2010033233.tif 000004
【図３】
2010033233.tif 000005
【図４】
2010033233.tif 000006
【図５】
2010033233.tif 000007
【図６】
2010033233.tif 000008